(57)【要約】      （修正有）【課題】調理器本体に対して、開閉扉と一体の引き出し体を奥まで引き出せる加熱調理器を提供する。【解決手段】加熱調理器は、内部に加熱室を備えた調理器本体１と、加熱室１２の内部を走行するローラー７を介して調理器本体に対して引き出し及び収容可能とされた引き出し体２と、加熱室の内部に代わってローラーを支持するローラー支持機構と、を備え、引き出し体は、引き出し体が収容された状態で加熱室の開口部１２ａを閉塞可能な開閉扉２ａと、調理対象物を載置させるトレイ５と、開閉扉にトレイを保持するトレイ保持部材６と、トレイの下方に配置される露受け部と、を有し、ローラー支持機構が、引き出し体の移動に伴って加熱室よりも外側に引き出されることでローラーを支持するローラー支持面を構成する。【選択図】図２
2016211758.tif 000002
【特許請求の範囲】
【請求項１】
内部に加熱室を備えた調理器本体と、
前記加熱室の内部を走行するローラーを介して前記調理器本体に対して引き出し及び収容可能とされた引き出し体と、
前記加熱室の内部に代わって前記ローラーを支持するローラー支持機構と、を備え、
前記引き出し体は、
前記引き出し体が収容された状態で前記加熱室の開口部を閉塞可能な開閉扉と、
調理対象物を載置させるトレイと、
前記開閉扉に前記トレイを保持するトレイ保持部材と、
前記トレイの下方に配置される露受け部と、を有し、
前記ローラー支持機構が、前記引き出し体の移動に伴って前記加熱室よりも外側に引き出されることで前記ローラーを支持するローラー支持面を構成する加熱調理器。
【請求項２】
前記ローラーが前記加熱室の底面を走行し、
前記ローラー支持機構が、前記加熱室の前記底面と略同じ高さで前記ローラー支持面を構成可能である
請求項１に記載の加熱調理器。
【請求項３】
前記ローラー支持機構は、前記引き出し体の移動に連動して回転することで前記ローラー支持面を構成する回転部材を有している
請求項１または２に記載の加熱調理器。
【請求項４】
前記回転部材が、前記引き出し体及び前記調理器本体のうちいずれか一方に設けられている
請求項３に記載の加熱調理器。
【請求項５】
前記ローラー支持機構は、
前記引き出し体の引き出し方向への移動に伴って、待機姿勢から前記ローラー支持面を構成する姿勢へと回転する前記回転部材の回転を補助する引出側回転補助部材と、
前記引き出し体の収容方向への移動に伴って、前記ローラー支持面を構成する姿勢から前記待機姿勢へと回転する前記回転部材の回転を補助する収容側回転補助部材と、を有している
請求項３又は４に記載の加熱調理器。
【請求項６】
前記ローラーが、前記トレイ保持部材の前記開閉扉側とは反対側の端部に設けられている請求項１から５のいずれか一項に記載の加熱調理器。
【発明の詳細な説明】
【技術分野】
【０００１】
本発明は、加熱調理器に関するものである。
【背景技術】
【０００２】
電子レンジ等の加熱調理器の分野において、開閉扉と一体の引き出し体を備えた加熱調理器が従来から提案されている。この加熱調理器では、引き出し体を調理器本体の前面に引き出した状態で被加熱物を出し入れすることができる。そのため、例えば大型加熱調理器に適用した場合、加熱調理器は使いやすいものとなる。このような引き出し式の加熱調理器が、下記の特許文献１に開示されている。
【先行技術文献】
【特許文献】
【０００３】
【特許文献１】特開２０１３−２４５９０１号公報
【発明の概要】
【発明が解決しようとする課題】
【０００４】
引き出し式の加熱調理器においては、引き出し体を開閉扉とともに調理器本体に対して引き出すと、引き出し体の奥側が調理器本体内に留まる構成となっている。そのため、ユーザーが、加熱調理の被加熱物を引き出し体上に載置する、あるいは取り出す際に、トレイや被加熱物等を出し入れしにくいという問題があった。
【０００５】
本発明の一つの態様は、上記従来技術の問題点に鑑み成されたものであって、調理器本体に対して、開閉扉と一体の引き出し体を奥まで引き出せる加熱調理器を提供することを目的とする。
【課題を解決するための手段】
【０００６】
本発明の一態様における加熱調理器は、内部に加熱室を備えた調理器本体と、前記加熱室の内部を走行するローラーを介して前記調理器本体に対して引き出し及び収容可能とされた引き出し体と、前記加熱室の内部に代わって前記ローラーを支持するローラー支持機構と、を備え、前記引き出し体は、前記引き出し体が収容された状態で前記加熱室の開口部を閉塞可能な開閉扉と、調理対象物を載置させるトレイと、前記開閉扉に前記トレイを保持するトレイ保持部材と、前記トレイの下方に配置される露受け部と、を有し、前記ローラー支持機構が、前記引き出し体の移動に伴って前記加熱室よりも外側に引き出されることで前記ローラーを支持するローラー支持面を構成する。
【０００７】
本発明の一態様における加熱調理器において、前記ローラーが前記加熱室の底面を走行し、前記ローラー支持機構が、前記加熱室の前記底面と略同じ高さで前記ローラー支持面を構成可能である構成としてもよい。
【０００８】
本発明の一態様における加熱調理器において、前記ローラー支持機構は、前記引き出し体の移動に連動して回転することで前記ローラー支持面を構成可能な回転部材を有している構成としてもよい。
【０００９】
本発明の一態様における加熱調理器において、前記回転部材が、前記引き出し体及び前記調理器本体のうちいずれか一方に設けられている構成としてもよい。
【００１０】
本発明の一態様における加熱調理器において、前記ローラー支持機構は、前記引き出し体の引き出し方向への移動に伴って、待機姿勢から前記ローラー支持面を構成する姿勢へと回転する前記回転部材の回転を補助する引出側回転補助部材と、前記引き出し体の収容方向への移動に伴って、前記ローラー支持面を構成する姿勢から前記待機姿勢へと回転する前記回転部材の回転を補助する収容側回転補助部材と、を有している構成としてもよい。
【００１１】
本発明の一態様における加熱調理器において、前記ローラーが、前記トレイ保持部材の前記開閉扉側とは反対側の端部に設けられている構成としてもよい。
【発明の効果】
【００１２】
本発明によれば、調理器本体に対して、開閉扉と一体の引き出し体を奥まで引き出せる加熱調理器を提供することができる。
【図面の簡単な説明】
【００１３】
【図１】（Ａ）は、第１実施形態の加熱調理器を示す正面図、（Ｂ）は、加熱調理器の加熱室内を示す正面図。
【図２】第１実施形態の加熱調理器を示す上面図。
【図３】加熱調理器の引き出し体を示す斜視図。
【図４】第１実施形態の加熱調理器を示す側面図。
【図５】第１実施形態におけるローラー支持機構の構成を示す斜視図。
【図６】第１実施形態におけるローラー支持機構の構成を示す側面図。
【図７】第１実施形態におけるローラー支持機構の構成を示す上面図。
【図８】ローラー支持面においてローラーが支持される直前の様子を示す図。
【図９】ローラー支持面においてローラーが支持された様子を示す図。
【図１０】引き出し体を収容する様子を示す図。
【図１１】第２実施形態の加熱調理器における引き出し体延長機構の構成を示す図。
【図１２】引き出し体を引き出す過程を示す図。
【図１３】引き出し体を引き出す過程を示す図。
【図１４】引き出し体を引き出す過程を示す図。
【図１５】引き出し体を引き出す過程を示す図。
【図１６】引き出し体を引き出す過程を示す図。
【図１７】引き出し体を収容する過程を示す図。
【図１８】引き出し体を収容する過程を示す図。
【図１９】引き出し体を収容する過程を示す図。
【図２０】引き出し体を収容する過程を示す図。
【図２１】第３実施形態におけるローラー支持機構を示す図。
【図２２】（Ａ）〜（Ｃ）は第３実施形態におけるローラー支持機構の動きを示す図。
【発明を実施するための形態】
【００１４】
以下に示す各実施形態の加熱調理器は、水蒸気を用いたオーブン調理が可能な加熱調理器の一例である。なお、以下の説明で用いる各図面においては、各構成要素を見やすくするため、構成要素によって寸法の縮尺を異ならせて示すことがある。
【００１５】
［第１実施形態］
以下、本発明の第１実施形態の加熱調理器について説明する。
図１（Ａ）は、第１実施形態の加熱調理器を示す正面図、（Ｂ）は、加熱調理器の加熱室内を示す正面図である。図２は、第１実施形態の加熱調理器を示す上面図である。図３は、加熱調理器の引き出し体を示す斜視図である。図４は、第１実施形態の加熱調理器を示す側面図である。図５は、ローラー支持機構の構成を示す斜視図である。図６は、第１実施形態におけるローラー支持機構の構成を示す側面図である。図７は、第１実施形態におけるローラー支持機構の構成を示す上面図である。
なお、図６は、加熱調理器の中央位置から右側方（図１の紙面右側）を見たときの断面図である。
【００１６】
図１（Ａ），（Ｂ）及び図２に示すように、本実施形態の加熱調理器１００は、調理器本体１と、調理器本体１から引き出し及び収容が可能な引き出し体２と、を備えている。加熱調理器１００は、さらに、引き出し体２を調理器本体１に対して引き出し及び収容可能とするスライド機構４を備えている。
【００１７】
本発明の加熱調理器の加熱方式は特に限定されるものではないが、本実施形態では、高温の過熱水蒸気により食品を加熱調理する加熱調理器の例を挙げる。
加熱手段の詳細な説明および図示は省略するが、調理器本体１は、加熱手段として、水蒸気発生装置、水蒸気加熱用ヒーター、給気ダクト、排気ダクト、循環ファン等を備えている。水蒸気発生装置で発生した水蒸気は、水蒸気加熱用ヒーターにより高温の過熱水蒸気となり、給気ダクトを経て加熱室１２内に導入され、被加熱物を加熱する。加熱室１２内の水蒸気は、排気ダクトを経て加熱室１２から排出される。
なお、加熱方式は、水蒸気加熱方式の他、マグネトロンによるマイクロ波加熱方式であってもよいし、誘導加熱（ＩＨ）方式であってもよい。
【００１８】
スライド機構４は、調理器本体１の左右の下部に設けられている。スライド機構４は、例えば調理器本体１に設けられた固定レール４Ａと、引き出し体２に設けられた可動レール４Ｂと、を備えている。可動レール４Ｂは、固定レール４Ａと噛み合った状態で固定レール４Ａに対して摺動する。また、調理器本体１には、引き出し体２を移動させるためのモーター等の駆動源、および駆動源の回転出力を直線運動に変換するラック・ピニオン機構等の運動変換機構が設けられていてもよい。
【００１９】
調理器本体１の内部には、図１（Ｂ）に示すように、引き出し体２が引き出し及び収容可能な加熱室１２が形成されている。加熱室１２は、食品（調理対象物）Ｗを内部に収容して加熱調理を行うための箱状の空間である。加熱室１２は、天板及び底板と、３つの側板（左側板、右側板及び背板）と、により囲まれる空間によって形成され、前面が引き出し体２の出し入れのために開口されている。加熱室１２の開口部１２ａは、引き出し体２の開閉扉２ａによって閉塞される。
【００２０】
調理器本体１には、図２に示すように蒸気発生装置３が設けられている。蒸気発生装置３は、加熱室１２に供給するための水蒸気を発生させる。具体的には、水タンク（図示略）から供給された水をヒーター（図示略）によって加熱することにより、熱媒体としての飽和水蒸気を生成する。蒸気発生装置３で生成された水蒸気は、給気ダクト（図示略）を介して加熱室１２の内部に導入される。
【００２１】
調理器本体１には、図１（Ａ）に示すように開閉扉２ａよりも上方に、ユーザーが種々の操作を行うための操作部１１が設けられている。また、開閉扉２ａの側方にも操作部１１が設けられていてもよい。
【００２２】
引き出し体２は、図２に示すように、調理される食品（図示略）をそのままの状態あるいは収容容器とともに載置可能な構成とされている。引き出し体２は、後述する一対のローラー７と、一対のスライド機構４と、によって調理器本体１に対して移動可能に設けられている。引き出し体２は、調理器本体１の加熱室１２内から外側へ引き出す又はその反対に外側から閉じることができる。
【００２３】
各スライド機構４は、引き出し体２を調理器本体１内で移動させるために、加熱室１２の両側に設けられている。先に述べたように、各スライド機構４は、調理器本体１に対して固定された固定レール４Ａに対して可動レール４Ｂをスライド可能とした入れ子式のスライドレールから構成されている。引き出し体２は、スライド機構４を介して調理器本体１に支持され、安定して加熱室１２から引き出し可能とされている。
【００２４】
引き出し体２は、図２〜図４に示すように、開閉扉２ａと、トレイ５と、網１７と、トレイ保持部材６と、一対のローラー７と、露受け部９と、一対のローラー支持機構１０と、を備えている。
【００２５】
開閉扉２ａは、図１（Ａ），（Ｂ）に示すように、加熱室１２を開閉するためのものである。開閉扉２ａは、引き出し体２が調理器本体１に収容された状態で加熱室の開口部１２ａを閉塞可能である。開閉扉２ａの前面には、中央よりも下方に取っ手１８が設けられている。ユーザーは、取っ手１８を用いて開閉扉２ａを開閉することができる。開閉扉２ａに、加熱室１２の内部を視認するための窓１９が設けられている。
【００２６】
網１７には、調理対象である食品が載置される。トレイ５には、食品を載置させるための網１７が載置される。これにより、食品は、トレイ５の上方に位置し、トレイ５とは接触しない状態となる。食品を網１７の上に載置して調理を行うことにより、水蒸気が食品の上面側のみならず、食品の下面側にも流通するため、食品の両面を同時に加熱することができる。
【００２７】
トレイ保持部材６は、図２〜図４に示すように、開閉扉２ａとスライド機構４の可動レール４Ｂ，４Ｂとに設けられており、トレイ５を保持する。トレイ５は、トレイ保持部材６に対して取り出し及び収容可能に設けられている。
【００２８】
トレイ保持部材６の底部の後端側（開閉扉２ａとは反対側の端部側）には、加熱室１２の内部を走行する一対のローラー７が設けられている。各ローラー７は、トレイ保持部材６の最奥位置の端部における左右両側に一つずつ設けられている。各ローラー７は、引き出し体２の移動に伴って調理器本体１の底面１２ｃに設けられたレール８上を走行可能なものである。
【００２９】
図１（Ｂ）に示す露受け部９は、トレイ保持部材６の下方において開閉扉２ａ及びスライド機構４に固定されている。露受け部９は、スライド支持面１３上に支持され、引き出し体２の移動時にはスライド支持面１３に沿って移動する。
【００３０】
ローラー支持機構１０は、露受け部９の最奥位置の両側にそれぞれ設けられている。ローラー支持機構１０は、図４に示すように、引き出し体２の移動に伴って回転移動され、一部が加熱室１２よりも外側に引き出される。また、引き出された状態において、調理器本体１側の一対のレール８に代わってローラー７（図２）を支持するものである。
【００３１】
各ローラー支持機構１０は、図５〜図７に示すように、第１回転部材（引出側回転補助部材）１４と、第２回転部材（回転部材）１５と、当接部材（収容側回転補助部材）１６と、を備えて構成されている。各ローラー支持機構１０は、引き出し体２の移動に連動して回転し、停止した状態で、ローラー７を支持するローラー支持面Ｑ（図４）を構成する。具体的に各ローラー支持機構１０は、レール８と同じ高さでローラー７を支持するローラー支持面Ｑを構成する。
【００３２】
第１回転部材１４は、引き出し体２の引き出し方向への移動に伴う第２回転部材１５の回転を補助するものである。当接部材１６は、引き出し体２の収容方向への移動に伴う第２回転部材１５の回転を補助するものである。
【００３３】
第１回転部材１４は、水平方向に沿う回転軸Ｃ１を介して露受け部９に設けられている。
第１回転部材１４は、引き出し体２の移動に伴って加熱室１２の先端部分１２ｂに当接し、回転軸Ｃ１の回りに正転する。第１回転部材１４は、その断面において、互いに略垂直な角度となるように屈曲された３つの部位１４ａによって構成されている。第１の部位１４ａと第２の部位１４ｂとの境界に回転軸Ｃ１が位置している。第３の部位１４ｃは、第２の部位１４ｂからの長さが第１の部位１４ａよりも短い。第１回転部材１４は、正転及び逆転することによって待機姿勢（図８）と、ローラー支持姿勢（図９）と、の間で変化する。
【００３４】
第２回転部材１５は、水平方向に沿う回転軸Ｃ２を介して第１回転部材１４に接続されている。第２回転部材１５は、第１回転部材１４に連動して回転軸Ｃ２の回りに正転する。第２回転部材１５は、中央部１５ａと、一対の延出部１５ｂと、対向部位１５ｅと、によって構成されている。
【００３５】
一対の延出部１５ｂは、断面視における中央部１５ａの両端にそれぞれ設けられ、中央部１５ａに対して垂直であるとともに互いに相反する方向へ延出している。第２回転部材１５には切欠き部１５ｄが形成されている。回転軸Ｃ２は、断面視において中央部１５ａの延出部１５ｂ寄りかつ切欠き部１５ｄ側に位置している。対向部位１５ｅは、中央部１５ａの一部と一方の延出部１５ｃから延出するようにして、回転軸Ｃ２の延長線上を外した位置に設けられている。
【００３６】
第２回転部材１５は、第１回転部材１４の第３の部位１４ｃの先端側に回転軸Ｃ２を介して接続されている。
【００３７】
第２回転部材１５は、第１回転部材１４の回転に連動して回転し、停止した状態において、延出部１５ｂにより上述したローラー支持面Ｑを構成する。ローラー支持面Ｑは、加熱室１２の前方においてローラー７の移動経路上に形成可能なものである。本実施形態のローラー支持機構１０は、調理器本体１の外部においてローラー７を支持する。
第２回転部材１５は、正転及び逆転することによって待機姿勢（図８）と、ローラー支持姿勢（図９）と、の間で変化する。
【００３８】
当接部材１６は、加熱室１２の開口部１２ａから開閉扉２ａ側へ向かって延出している。当接部材１６は、上面視において、第２回転部材１５の第１回転部材１４とは反対側に位置しており、第２回転部材１５の中央部１５ａに当接可能とされている。当接部材１６は、引き出し体２の収容方向への移動時に第２回転部材１５の中央部１５ａに当接することによって、第２回転部材１５を逆転させる。この際、第２回転部材１５の逆転に連動して第１回転部材１４も逆転することになる。本実施形態では、第２回転部材１５に切欠き部１５ｄが設けられており、回転時に延出部１５ｂが当接部材１６に干渉しない形状となっている。当接部材１６は、切欠き部１５ｄを除いた対向部位１５ｅに当接する。
【００３９】
本実施形態の加熱調理器において、引き出し体２のローラー７が、ローラー支持機構１０の第２回転部材１５によって支持される位置が開閉扉２ａの全開位置である。
【００４０】
次に、本実施形態におけるローラー支持機構の動きについて述べる。
図８及び図９は、引き出し体が引き出される様子を示す図である。図８は、ローラー支持面においてローラーが支持される直前の様子を示し、図９は、ローラー支持面においてローラーが支持された様子を示している。図１０は、引き出し体を収容する様子を示す図である。なお、図８〜図１０は、加熱調理器の中央位置から右側方（図１の紙面右側）を見た図である。
【００４１】
図８に示すように、ユーザーが調理器本体１から引き出し体２を引き出す場合、移動ローラー７がレール８上を走行しながら引き出し体２が移動される。引き出し体２が移動されている間、ローラー支持機構１０の第１回転部材１４及び第２回転部材１５は、ともに待機姿勢となっている。
【００４２】
図８に示すように、引き出し体２の移動により、ローラー支持機構１０の第１回転部材１４の一部と第２回転部材１５の全体が調理器本体１の外側へ露出し、調理器本体１内に残る第１回転部材１４の第１の部位１４ａが加熱室１２の先端部分１２ｂに当接する。第１回転部材１４が加熱室１２の先端部分１２ｂに当接した状態でさらに引き出し体２が移動されると、回転軸Ｃ１を中心に第１回転部材１４が実線矢印Ｍで示す方向へ反時計回りに回転する。この際、第１の部位１４ａが下方へ傾動するとともに第２の部位１４ｂ及び第３の部位１４ｃが上方へと移動する。すると、第１回転部材１４の回転に連動して、第２回転部材１５が立ち上がるようにして実線矢印Ｎで示す方向へ時計回りに回転する。
【００４３】
本実施形態では、第１回転部材１４及び第２回転部材１５の回転方向は互いに相反する。
【００４４】
すると、図９に示すように、引き出し体２の移動に伴ってローラー７がレール８の前方へ脱しようとするのに合わせて、第２回転部材１５の延出部１５ｂが水平となり、ローラー支持面Ｑを形成するローラー支持姿勢となる。
【００４５】
本実施形態では、引き出し体２が引き出されることによってレール８の前方へ移動するローラー７を、回転途中の第２回転部材１５の延出部１５ｂによって受け止めた状態で、ローラー支持姿勢に至るように構成されている。ローラー支持機構１０が引き出し体２に設けられているため、ローラー７は回転することなく第２回転部材１５において支持される。
【００４６】
本実施形態では、ローラー支持機構１０がローラー７を支持した状態のまま、引き出し体２をさらに引き出すことができる。開閉扉２ａが全開位置にあるとき、トレイ５全体が完全に加熱室１２の外側へ露出する。このとき、調理器本体１の上部に設けられている操作部１１よりも外側にトレイ５が位置していることが望ましい。
【００４７】
一方、ユーザーが調理器本体１へと引き出し体２を収容する場合、図１０に示すように、ユーザーによって引き出し体２が調理器本体１側へと押されることで、引き出し体２が収容方向へと移動される。この際、レール８に設けられた当接部材１６に第２回転部材１５の対向部位１５ｅが押し付けられることとなり、この状態で引き出し体２がさらに移動されると、回転軸Ｃ２を中心に第２回転部材１５が引き出し時とは逆転する方向（実線矢印Ｏで示す方向）へ回転する。図１０においては反時計回りに回転する。
【００４８】
すると、第２回転部材１５の回転に連動して、第１回転部材１４が実線矢印Ｐで示す方向へ時計回りに回転する。ここでも、第１回転部材１４及び第２回転部材１５の回転方向は互いに相反する。
【００４９】
このようにして第２回転部材１５が回転することによってローラー支持面Ｑによるローラー７の支持が解除され、ローラー７がレール８上へと乗り移る。そして、引き出し体２の更なる移動に伴って第２回転部材１５及び第１回転部材１４の回転が進むと、いずれも待機姿勢へと変化する。
【００５０】
本実施形態の加熱調理器１００では、調理器本体１の外側において、引き出し体２の最奥位置に設けられたローラー７がローラー支持機構１０によって支持される構成となっている。このため、調理器本体１から引き出し体２を奥まで引き出すことができる。これにより、トレイ５の全体を加熱室１２から露出させることができ、トレイ５やトレイ５上に載置された調理対象物（被加熱物）を上方へとそのまま取り出すことが可能となる。これにより、ユーザーが食品を引き出し体２上に載置する、あるいは取り出す際に、食品の出し入れを行い易くなる。また、トレイ５が調理器本体１の操作部１１よりもさらに外側へ引き出されるように構成することで、トレイ５等の取り出し時に操作部１１が邪魔にならず、作業をスムーズに行える。これにより、作業性の向上によって効率化が図れるため、加熱調理器１００を業務用として用いる場合に特に有効である。
【００５１】
また、本実施形態では、引き出し体２のスライド移動によってローラー支持機構１０の各回転部材１４，１５が回動する構造となっている。このため、ローラー支持機構１０を動作させるための駆動源等が不要であり、コストもかからない。
尚、本願においてレール８とは、ローラー７が移動する際に調理器本体１内で支持する部分のことを表しており、加熱室１２の底面１２ｃで直接ローラー７を支持しているものも含まれる。この場合、加熱室１２の底面１２ｃとは別の部材を用いる必要がないため、より好ましい。
【００５２】
［第２実施形態］
次に、第２実施形態の加熱調理器の構成について述べる。
本実施形態における加熱調理器の基本構成は先の実施形態の加熱調理器と略同様であるが、ローラー支持機構の構成において異なる。よって、先の実施形態と異なる部分のみ説明し、共通な部分の説明は省略する。
【００５３】
図１１は、第２実施形態の加熱調理器における引き出し体延長機構の構成を示す図である。
本実施形態の加熱調理器は、図１１に示すように、調理器本体１及び引き出し体２に設けられたローラー支持機構２０を備えた構成となっている。
【００５４】
ローラー支持機構２０は、加熱室１２の底面１２ｃの裏面側（露受け部９側）に設けられた延長部材２１と、延長部材２１の裏面２１ｂ側に、裏面２１ｂに対して垂直な姿勢で設けられた第１の係合部２２および第２の係合部２３と、露受け部９に設けられた３つの凸部２４，２５，２６（図１４）と、を有して構成されている。
【００５５】
延長部材２１は、平面視矩形状の板材からなり、一つのローラー７を載置可能な大きさを有している。延長部材２１は、角部２１Ａに設けられた回転軸Ｃ３を介してレール８を有する加熱室１２の底面１２ｃの裏側に取り付けられている。
【００５６】
延長部材２１は、引き出し体２の移動に伴ってレール８の法線方向に沿う回転軸Ｃ３の回りに回転することで、加熱室１２よりも外側へと引き出される。この状態において、加熱室１２の底面１２ｃから露出した表面２１ａで引き出し体２のローラー７を支持する構成となっている。本実施形態では、延長部材２１の表面２１ａにおいてローラー支持面Ｑが構成される。
【００５７】
第１の係合部２２は、延長部材２１の長辺２１ｃに沿って平行に設けられており、第２の係合部２３は、延長部材２１の対角線に沿って斜めに設けられている。第１の係合部２２に対する第２の係合部２３の傾斜角度は任意に設定できる。
【００５８】
３つの凸部２４，２５，２６は、露受け部９の表面９ａ上に設けられている。凸部２４，２５，２６は、いずれも円柱形状をなし、第１の係合部２２及び第２の係合部２３に少なくとも各先端側が係合する高さを有している。
【００５９】
引き出し用凸部（引出側回転補助部材）２４は、露受け部９の奥側であって、平面視におけるローラー７の走行経路よりも内側に配置されている。
収容用凸部（収容側回転補助部材）２５は、引き出し用凸部２４よりも開閉扉２ａ側に位置するとともに、平面視におけるローラー７の走行経路よりも外側に配置されている。
収容用凸部（収容側回転補助部材）２６は、収容用凸部２５よりも開閉扉２ａ側に位置するとともに、平面視におけるローラー７の走行経路上に配置されている。
【００６０】
本実施形態のローラー支持機構２０は、引き出し体２の移動に応じて、第１の係合部２２及び第２の係合部２３が露受け部９に設けられた複数の凸部２４，２５，２６のいずれか一つの順次係合することにより、延長部材２１がレール８から引き出されあるいは収容される構成となっている。
【００６１】
次に、本実施形態におけるローラー支持機構の動きについて述べる。
図１２〜図１６は、引き出し体を引き出して開閉扉を全開にする様子を示す図である。
【００６２】
図１２に示すように開閉扉２ａが全閉状態にある調理器本体１から、ユーザーが引き出し体２を引き出すことにより、その引き出し量に応じて、先ず収容用凸部２６が調理器本体１から外側に露出し（図１３）、続けて収容用凸部２５が露出する。引き出し体２がさらに引き出されると、引き出し用凸部２４が、まず第２の係合部２３の第１面２３ａに当接する（図１４）。当接状態でさらに引き出し体２が移動されると、図１５に示すように、回転軸Ｃ３を中心に延長部材２１が矢印Ｓで示す方向へ回転する。この際、引き出し用凸部２４が第１面２３ａに沿って、回転軸Ｃ３から遠ざかる方向へと移動する。このようにして、延長部材２１の回転量（引き出し体２の引き出し量）に応じて加熱室１２の下方から延長部材２１が徐々に露出する。
【００６３】
そして、図１５に示すように、延長部材２１がレール８の下方に一部隠れた状態であって、延長部材２１とレール８とが平面視で重なる位置において、ローラー７がレール８上から延長部材２１へと乗り移る。
【００６４】
その後、図１６に示すように、さらに引き出し体２が引き出されるのに伴って延長部材２１の全体が調理器本体１から外側へ露出し、ローラー７の全体が延長部材２１において支持される。この状態が、ローラー支持機構２０のローラー支持姿勢である。
【００６５】
図１７〜図２０は、引き出し体を収容して開閉扉を全閉にする様子を示す図である。
一方、ユーザーが調理器本体１から引き出し体２を収容する際には、図１７に示すように、引き出し体２の収容方向への移動によって、延長部材２１上に支持されていたローラー７がレール８へと乗り移る。ローラー支持面Ｑとレール８との間に形成される段差は小さく、ローラー７の乗り越えを妨げない。続けて引き出し体２の移動に伴い、第２の係合部２３に当接していた引き出し用凸部２４が第２の係合部２３から遠ざかり、収容用凸部２５が第１の係合部２２の第１面２５ａに当接する。
【００６６】
図１７及び図１８に示すように、当接状態でさらに引き出し体２が奥へ移動されると、回転軸Ｃ３を中心に延長部材２１が逆転方向（矢印で示す方向）へ回転する。この際、収容用凸部２５が第１面２５ａに沿って、回転軸Ｃ３に近づく方向へと移動する。引き出し体２がさらに収容されると、図１９に示すように、収容用凸部２５に代わって収容用凸部２６が第１の係合部２２の第１面２２ａに当接する。引き出し体２の移動に伴い、図２０に示すように、収容用凸部２６が第１面２２ａに沿って回転軸Ｃ３に近づく方向へと移動する。
【００６７】
このようにして、延長部材２１の回転量（引き出し体２の収納量）に応じて延長部材２１がレール８の下方へと徐々に収容される。最後は、開閉扉２ａによって延長部材２１がレール８の下方へ押し込まれて全閉状態となる。
【００６８】
本実施形態では、引き出し体２が引き出されることによってレール８の前方へ移動するローラー７を、回転途中の延長部材２１において受け止めた状態で、ローラー支持姿勢に至るように構成されている。このため、ローラー７は、回転することなく延長部材２１上において支持される。
【００６９】
本実施形態の加熱調理器によれば、引き出し体２が引き出されることで調理器本体１の外側に引き出されたローラー支持機構２０によって、引き出し体２の最奥位置に設けられたローラー７が支持される構成となっている。このため、調理器本体１から引き出し体２の奥の方まで引き出すことができる。これにより、ユーザーが食品等を引き出し体２上に載置する、あるいは取り出す際に、引き出し体２の奥の方が見えやすくなり、食品等の出し入れを行い易くなるという、先の実施形態と同様の効果を得ることができた。
【００７０】
また、本実施形態のローラー支持機構２０によれば、第１実施形態におけるローラー支持機構１０よりもより簡単な構成且つ少ない部材によって、同様の作用効果を得ることが可能である。
【００７１】
［第３実施形態］
次に、第３実施形態の加熱調理器の構成について述べる。
図２１は、第３実施形態におけるローラー支持機構を示す図である。図２２（Ａ）〜（Ｃ）は、第３実施形態におけるローラー支持機構の動きを示す図である。
本実施形態のローラー支持機構３０は、図２２に示すように、引き出し体２のスライド方向に沿ってスライドするように取り付けられ、例えばバネのような弾性体（不図示）によって開閉扉２ａ側へ付勢された構成となっている。
【００７２】
例えば、ローラー支持機構３０が、板状のローラー支持体３１と、ローラー支持体３１を付勢する弾性体（不図示）と、を備えた構成とする。図２２（Ａ）に示すように、ローラー支持機構３０は、収容状態において加熱室１２の底面１２ｃの裏面側に位置している。図２２（Ｂ）に示すように、引き出し体２が引き出されると、弾性体の付勢力によってローラー支持体３１がスライドして調理器本体１の外側に出現し、ローラー支持面Ｑを構成する。
【００７３】
また、引き出し体２を収容する際には、図２２（Ｃ）に示すように、弾性体の付勢力に抗して、開閉扉２ａによってローラー支持体３１が調理器本体１側へと押し進められることで、調理器本体１側に収容されることになる。これにより、さらに簡単な構成とすることができる。
【００７４】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【００７５】
例えば、ローラー支持機構は回転する構成に限定されない。加熱室１２の外側でローラー７を支持することができれば、他の構成であってもよい。
【００７６】
本発明は、マイクロ波加熱、水蒸気加熱、ＩＨ加熱等の各種の加熱方式を有する引き出し式の加熱調理器に利用が可能である。
【符号の説明】
【００７７】
１…調理器本体、２…引き出し体、２ａ…開閉扉、５…トレイ、６…トレイ保持部材、７…ローラー、８…レール、９…露受け部、Ｑ…ローラー支持面、Ｗ…食品（調理対象物）、１０，２０…ローラー支持機構、１２…加熱室、１２ａ…開口部、１４…第１回転部材（引出側回転補助部材）、１５…第２回転部材（回転部材）、１６…当接部材（収容側回転補助部材）、２１ａ…表面（ローラー支持面）、２４…引き出し用凸部（引出側回転補助部材）、２５，２６…収容用凸部（収容側回転補助部材）、１００，２００…加熱調理器
【図１】
2016211758.tif 000003
【図２】
2016211758.tif 000004
【図３】
2016211758.tif 000005
【図４】
2016211758.tif 000006
【図５】
2016211758.tif 000007
【図６】
2016211758.tif 000008
【図７】
2016211758.tif 000009
【図８】
2016211758.tif 000010
【図９】
2016211758.tif 000011
【図１０】
2016211758.tif 000012
【図１１】
2016211758.tif 000013
【図１２】
2016211758.tif 000014
【図１３】
2016211758.tif 000015
【図１４】
2016211758.tif 000016
【図１５】
2016211758.tif 000017
【図１６】
2016211758.tif 000018
【図１７】
2016211758.tif 000019
【図１８】
2016211758.tif 000020
【図１９】
2016211758.tif 000021
【図２０】
2016211758.tif 000022
【図２１】
2016211758.tif 000023
【図２２】
2016211758.tif 000024